(57)【要約】【課題】  選局中のチャンネルにおいて放送が終了したときに、確実に電源をオフ制御して、無駄な消費電力を削減することが可能なテレビジョン受像機を提供する。【解決手段】  テレビ放送信号を受信し、所望のチャンネルの番組映像を表示するテレビジョン受像機であって、前記テレビ放送信号から電子番組ガイド情報を取得する取得手段６と、前記電子番組ガイド（ＥＰＧ）情報に基づいて、選局されているチャンネルに係る放送終了時刻を検出する検出手段８と、前記放送終了時刻に基づいて、電源を遮断制御する電源制御手段１１とを設けたものである。【選択図】  図１
2006262216.tif 000002
【特許請求の範囲】
【請求項１】
テレビ放送信号を受信し、所望のチャンネルの番組映像を表示するテレビジョン受像機であって、
前記テレビ放送信号から電子番組ガイド情報を取得する取得手段と、
前記電子番組ガイド情報に基づいて、選局されているチャンネルに係る放送終了時刻を検出する検出手段と、
前記放送終了時刻に基づいて、電源を遮断制御する電源制御手段とを設けたことを特徴とするテレビジョン受像機。
【請求項２】
前記選局されているチャンネルに係る放送終了時刻の所定時間前に、電源の遮断を報知するオンスクリーン表示を行うＯＳＤ手段を設け、
前記電源制御手段は、前記オンスクリーン表示が所定時間だけ行われた後、電源を遮断制御することを特徴とする前記請求項１に記載のテレビジョン受像機。
【請求項３】
前記選局されているチャンネルに係る放送終了時刻の後、電源の遮断を報知するオンスクリーン表示を行うＯＳＤ手段を設け、
前記電源制御手段は、前記オンスクリーン表示が所定時間だけ行われた後、電源を遮断制御することを特徴とする前記請求項１に記載のテレビジョン受像機。
【請求項４】
テレビ放送信号から電子番組ガイド情報を取得するステップと、
前記電子番組ガイド情報に基づいて、選局されているチャンネルに係る放送終了時刻を検出するステップと、
前記放送終了時刻に基づいて、電源を遮断制御するステップとを有することを特徴とするテレビジョン受像機の電源制御方法。
【発明の詳細な説明】
【技術分野】
【０００１】
本発明は、テレビ放送信号を受信し、所望のチャンネルの番組を表示するテレビジョン受像機に関し、特につけっ放し状態を検出して、自動的に電源をオフすることが可能なテレビジョン受像機に関するものである。
【背景技術】
【０００２】
従来から、使用者が表示画像を視聴していない、所謂つけっ放し状態のテレビジョン受像機における無駄な電力消費を防止するために、テレビジョン受像機のつけっ放し状態を検出して、自動的に電源をオフすることが可能なものが各種提案されている。
【０００３】
例えば、特開昭５９−１７１２７１号公報、実開平５−９３１３４号公報、実開平７−２９９６６号公報、特開平９−３１２７８３号公報等には、テレビ放送信号に含まれる映像信号、同期信号の有無を検出し、これらの無存在が検出された場合、テレビ放送の終了にも関わらずつけっ放し状態であると判別して電源をオフし、省エネルギー化を図るものが提案されている。
【０００４】
また、例えば特開平６−７８２４６号公報には、テレビ視聴中に電源をオフせずに席を離れた場合、これをセンサによって検知し、検知後一定時間が過ぎたとき、自動的に電源を制御し動作待機モードに切り替えることによって、不必要な電力消費を防止することが開示されている。
【０００５】
さらに、例えば特開２０００−１５２１２４号公報には、現在視聴中の番組の終了をＥＰＧ（Electronic Program Guide；電子番組ガイド）によって判断し、番組の終了を視聴者に通知して、この通知に対する視聴者からの応答の有無によって次の番組の視聴を継続するかを決定し、応答がなかったときには、呼び出し設定の有無によって視聴者に警告を行うか、テレビジョン受像機の電源をオフとすることによって、テレビジョン受像機の電源を節約するものが開示されている。
【特許文献１】特開昭５９−１７１２７１号公報
【特許文献２】実開平５−９３１３４号公報
【特許文献３】実開平７−２９９６６号公報
【特許文献４】特開平９−３１２７８３号公報
【特許文献５】特開平６−７８２４６号公報
【特許文献６】特開２０００−１５２１２４号公報
【発明の開示】
【発明が解決しようとする課題】
【０００６】
しかしながら、上記特許文献１〜４に記載されているように、テレビ放送信号に含まれる映像信号、同期信号の有無を検出することにより、電源をオフ制御するものにおいては、他局の放送やその他の電波が混入する場合などは、放送終了後であっても、正しく電源を自動オフ制御することができないおそれがある。
【０００７】
また、上記特許文献５に記載されているように、視聴者の不在が検知されたとき、電源をオフ制御するものにおいては、視聴者を感知するためのセンサ（赤外線センサ）が必要であり、構成が複雑になるとともに、コストの増大を招来するという問題があった。
【０００８】
さらに、上記特許文献６に記載されているもののように、視聴中の番組の終了をＥＰＧデータによって判断し、番組の終了を視聴者に通知した後、電源をオフ制御する場合、視聴者は番組終了毎に次の番組の視聴を継続するか否かの応答を逐次必ず行う必要があるため、操作が煩わしく商品性を著しく損なうという問題があった。例えば、一般的に視聴者は視聴を希望する番組の開始時刻前に電源をオンすることが多いが、このような場合、所望の番組の前に放送されている番組の終了時に、視聴者は視聴継続の応答操作を行う必要があり、視聴者に余計な負担を強いることとなる。
【０００９】
ここで、引用文献６のもののように、番組単位で電源オフ制御する構成とした場合、視聴者は番組毎に電源オン継続の確認応答操作を行うのが煩わしいため、テレビジョン受像機の自動電源オフ機能の設定を解除してしまう可能性が高く、その結果、視聴者がテレビジョン受像機の電源をオンにしたまま眠ってしまったり外出してしまったりした場合、放送が終了した状態にもかかわらず、テレビジョン受像機の電源オン状態が継続してしまい、無駄な電力消費を招来するおそれがある。
【００１０】
本発明は、上記課題に鑑みてなされたものであり、選局中のチャンネルにおいて放送が終了したときに、確実に電源をオフ制御して、無駄な消費電力を削減することが可能なテレビジョン受像機を提供するものである。
【課題を解決するための手段】
【００１１】
本願の第１の発明は、テレビ放送信号を受信し、所望のチャンネルの番組映像を表示するテレビジョン受像機であって、前記テレビ放送信号から電子番組ガイド情報を取得する取得手段と、前記電子番組ガイド情報に基づいて、選局されているチャンネルに係る放送終了時刻を検出する検出手段と、前記放送終了時刻に基づいて、電源を遮断制御する電源制御手段とを設けたことを特徴とする。
【００１２】
本願の第２の発明は、さらに、前記選局されているチャンネルに係る放送終了時刻の所定時間前に、電源の遮断を報知するオンスクリーン表示を行うＯＳＤ手段を設け、前記電源制御手段が、前記オンスクリーン表示が所定時間だけ行われた後、電源を遮断制御することを特徴とする。
【００１３】
本願の第３の発明は、さらに、前記選局されているチャンネルに係る放送終了時刻の後、電源の遮断を報知するオンスクリーン表示を行うＯＳＤ手段を設け、前記電源制御手段が、前記オンスクリーン表示が所定時間だけ行われた後、電源を遮断制御することを特徴とする。
【００１４】
本願の第４の発明は、テレビ放送信号から電子番組ガイド情報を取得するステップと、前記電子番組ガイド情報に基づいて、選局されているチャンネルに係る放送終了時刻を検出するステップと、前記放送終了時刻に基づいて、電源を遮断制御するステップとを有することを特徴とする。
【発明の効果】
【００１５】
本発明のテレビジョン受像機によれば、選局中のチャンネルにおける放送終了時刻を、電子番組ガイド（ＥＰＧ）情報に基づいて検出して、電源をオフ制御するので、ユーザに何ら負担を強いることなく、確実に無駄な消費電力を削減することが可能となる。
【発明を実施するための最良の形態】
【００１６】
以下、本発明のテレビジョン受像機の一実施形態を、例えばディジタル放送受信機について、図１乃至図３とともに詳細に説明する。ここで、図１は本実施形態のテレビジョン受像機における要部概略構成を示す機能ブロック図、図２は本実施形態のテレビジョン受像機における自動電源オフ制御動作を示すフローチャート、図３は本実施形態のテレビジョン受像機における自動電源オフ前の報知表示画面例を示す説明図である。
【００１７】
図１において、１はチューナ、２はディジタル復調を行い、ＴＳ（Transport Stream）をディジタルデータとして出力する復調部、３はＴＳから各データのパケットを分離するパケット分離部（ＤＥＭＵＸ）、４は映像データを復号する映像復号部、５は音声データを復号する音声復号部、６はデータ情報からＥＰＧの表示画面を構成する処理を行うＥＰＧ処理部、７はオンスクリーン表示信号を発生するＯＳＤ処理部、８は制御ＣＰＵである。
【００１８】
９は上記制御ＣＰＵ８からの制御データに基づいて、映像信号、音声信号、ＥＰＧの表示画面、オンスクリーン表示信号とをそれぞれ合成する合成部、１０はＬＣＤ，ＣＲＴ等を用いた表示装置、１１は当該テレビジョン受像機のシステム電源制御部である。尚、各ブロック１〜７，９，１１は上記制御ＣＰＵ８と接続され、制御ＣＰＵ８では、各ブロックからのデータ等により制御データを決定して、ディジタルデータの受信や、画像表示、電源オン／オフ等の動作を制御している。
【００１９】
次に、上記のディジタル放送受信機の動作を説明する。図示しない受信アンテナで受信された放送信号はチューナ１へ入力され、チューナ１では制御ＣＰＵ８から選択チャンネルを示す制御データを受けて、チャンネルの選択（選局）を行う。チャンネル選択された受信信号は復調部２へ送られ、復調部２ではディジタル復調が行われ、例えば制御ＣＰＵ８からの制御データに従って、選択番組を含むＴＳ（Transport Stream）が選択され、そのＴＳをディジタルデータとして出力する。
【００２０】
パケット分離部３では、入力されたＴＳの中から、選択した番組のパケットを分離して取り出し、その番組の映像データおよび音声データを出力する。パケット分離部３は、さらに、ＴＳの中に同時に送信されている番組配列情報（Service Information）を分離して取り出し、ＥＰＧ処理部６に出力している。
【００２１】
また、上記パケット分離部３においては、ＴＳにより送信される伝送制御信号（ＰＳＩ：Program Specific Information）、時間情報等が取り出され、これらは制御情報として制御ＣＰＵ８へ送られて、これに基づいて制御ＣＰＵ８からパケット分離を制御する制御データが送られることとなる。
【００２２】
上記パケット分離部３から出力された映像データはＭＰＥＧ-２により符号化されており、映像復号部４では、映像データを復号して映像信号を出力する。そして、上記映像復号部４では、その復号動作が制御ＣＰＵ８からの制御データに基づいて行われ、復号の際に映像データにおけるシーケンスヘッダ、シーケンスエンドコード等のデータを識別するとともに、画像サイズ、アスペクト比、走査方式およびフレーム周波数による映像フォーマット、シーケンスの開始、シーケンスエンドコード（シーケンスの終了コード）の検出等を示すデータを映像復号部４から制御ＣＰＵ８へと送る。
【００２３】
また、上記パケット分離部３から出力された音声データもまた符号化されており、音声復号部５では音声データを復号して音声信号を出力する。そして、上記音声復号部５では、上記映像復号部４と同様に、その復号動作が制御ＣＰＵ８からの制御データに基づき行われ、復号の際に音声データにおけるヘッダ等のデータを識別するとともに、サンプリング周波数、音声チャンネル数等により音声フォーマット等を示すデータを音声復号部５から制御ＣＰＵ８へ送っている。以上の映像復号部４および音声復号部５からの出力である映像信号と音声信号は、いずれも合成部９へ送られている。
【００２４】
次に、上記パケット分離部３からＥＰＧ処理部６に出力される番組配列情報（ＳＩデータ）について説明する。ＥＰＧ処理部６では、入力されたＳＩデータを処理してＥＰＧの表示画面を構成し、ＥＰＧ表示画面を示す信号を出力する。上述したように、ＳＩデータはチャンネル名、個々の番組のタイトル、開始終了時間、進行状態などの情報を含んでいて、ＥＰＧ処理部６でこれらのデータに基づいた処理を行い、ＥＰＧの表示画面を構成する。そして、上記ＥＰＧ処理部６からの出力であるＥＰＧ表示画面信号は合成部９へ送られる。
【００２５】
また、ＯＳＤ処理部７は制御ＣＰＵ８からの指示に基づいて各種キャラクタ信号、文字信号を発生し、合成部９へ出力する。このように合成部９には、上記映像復号部４からの映像信号、上記音声復号部５からの音声信号、およびＥＰＧ処理部６からのＥＰＧ表示画面信号が送られており、制御ＣＰＵ８からの制御データに基づいてそれらを合成し、その合成後の表示信号が表示装置１０において表示される。
【００２６】
ここで、合成部９は、制御ＣＰＵ８から表示動作を行うための各種の制御データを受け取っている。制御データは、表示信号を合成するための信号であって、上述した各ブロックからの映像フォーマット、音声フォーマット等のデータに基づいて形成されている。
【００２７】
また、図示しないリモートコントロール装置（リモコン）等を操作して、視聴者の操作により受信チャンネル、番組等の選択、及びＥＰＧ画面の表示、非表示等を指示した場合には、その操作内容が制御ＣＰＵ８へ送られ、制御ＣＰＵ８から合成部９には、受信チャンネル、番組等の選択、及びＥＰＧ画面の表示または非表示を指示するための制御データが送られる。
【００２８】
従って、通常は、制御ＣＰＵ８からの制御データに基づいて、上記合成部９において選択番組の映像信号と音声信号が表示信号としてそのまま表示装置１０へ出力され、表示装置１０では入力された表示信号である映像信号と音声信号によって、番組映像と音声とが視聴者に提供される。
【００２９】
一方、リモコンの操作部材等において、視聴者がＥＰＧの表示（または非表示）を指示する操作を行うと、その操作内容が制御ＣＰＵ８へ送られ、制御ＣＰＵ８からはＥＰＧの表示（または非表示）を示す制御データが合成部９に出力される。すなわち、制御ＣＰＵ８からの制御データはＥＰＧの表示を指示する制御データであったり、或いは非表示を指示する制御データとして合成部９へ送られる。
【００３０】
従って、合成部９では、表示装置１０でＥＰＧの表示画面が表示されていない場合には、上記制御ＣＰＵ８からのＥＰＧ表示を指示する制御データに基づき、ＥＰＧ表示画面信号を映像信号に重ね合わせるなどして、ＥＰＧが合成された表示信号を表示装置１０へ出力することになる。尚、ＥＰＧの表示画面への合成方法には、通常の映像画面とＥＰＧ表示画面とを重ね合わせるもの、或いは画面を分割して、通常の映像画面とＥＰＧ表示画面とを同時に表示するものがある。
【００３１】
さらに、リモコン等を用いて視聴者が電源オン／オフの操作を行った場合や、オンタイマー／オフタイマ−設定時刻になった場合、さらには、後述する放送終了時刻に達したことが検出された場合、制御ＣＰＵ８からシステム電源制御部１１にオン／オフの制御指示を出して、当該ディジタル放送受信機の電源駆動を制御している。
【００３２】
本実施形態のディジタル放送受信機においては、上記ＥＰＧを参照して現在選択されているチャンネルの放送終了時刻を検出して、該放送終了時刻の直前に、電源の遮断を報知するオンスクリーン表示を行った後、主電源を遮断するように制御する。
【００３３】
これについて、図２及び図３とともに、以下詳細に説明する。図２のフローチャートにおいて、電源がオンされてテレビ放送信号の受信が開始されると、まず省エネ設定（本発明の自動電源オフ機能設定）がなされているか否かを判別した（ステップ１）後、使用者によるチャンネル変更の指示操作の有無を監視して（ステップ２）、チャンネル変更があった場合は、上記パケット分離部３からＥＰＧ処理部６に出力される番組配列情報（ＳＩデータ）に基づいて、変更後のチャンネルに係る現在の視聴番組に連続して放送が予定されている次の番組の有無を検出する（ステップ３）。
【００３４】
後続する番組がない場合、現在視聴中の番組の終了とともに、選局されているチャンネルにおける当日の全ての放送プログラムが終了すると考えられるため、選局チャンネルの放送終了時刻として、該視聴中の番組の終了時刻を、番組配列情報（ＳＩデータ）から取得する（ステップ４）。
【００３５】
そして、ステップ４で取得した視聴中の番組終了時刻と内蔵時計より得られる現在時刻情報とを比較して、視聴中番組の終了時刻の所定時間前に達したか否かを検出し（ステップ５）、視聴中番組の終了時刻の所定時間前に達したことが検出されると、例えば図３に示すように、「このまま放送終了とともに電源を遮断します」などのメッセージをオンスクリーン表示するようにＯＳＤ処理部７に対して指示を出力し（ステップ６）、視聴者に他チャンネルの放送番組などの視聴を続行するかどうかの意思確認を促す。
【００３６】
ここで、視聴者によるリモコン等を用いた指示入力操作の有無を検出し（ステップ７）、視聴者による他チャンネルへの選局指示などの操作がない場合は、使用者に視聴続行の意思がない、すなわちつけっ放し状態であると判断して、視聴中番組の終了時刻が現在時刻に一致したことを検出し（ステップ８）、システム電源制御部１１に対して電源をオフするように指示を出力して（ステップ９）、動作を終了する。
【００３７】
以上のように、本実施形態のディジタル放送受信機においては、テレビ放送信号に多重された電子番組ガイド（ＥＰＧ）情報に基づいて、選局されているチャンネルに係る放送終了時刻を検出し、放送終了時刻に達した時点で、当該テレビジョン受像機がつけっ放し状態にあると判別して、主電源を遮断するように制御する。
【００３８】
従って、視聴者は予め本発明の自動電源オフ機能を設定しておくだけで、その他の何ら煩わしい操作を強いることなく、また、非常に簡単な構成にて、他局の放送やその他の電波の混入による誤動作を招来することもなく、テレビ放送の終了後におけるテレビジョン受像機のつけっ放し状態を判別して、確実に無駄な電力消費を防止することができる。
【００３９】
また、自動的に電源をオフする前に、電源の遮断を報知するオンスクリーン表示を所定時間だけ行うことにより、他チャンネル番組等の視聴続行の意思確認を行うことが可能となるため、もし視聴者がテレビ放送番組の視聴続行を希望する場合には、電源をオフする前に視聴続行の指示入力を行うことができ、使い勝手を向上させている。
【００４０】
尚、上記本発明の一実施形態においては、現在選択されているチャンネルにおける最終放送番組の終了時刻の所定時間前に、電源遮断の予告メッセージをオンスクリーン表示するように構成しているが、現在選択されているチャンネルにおける最終放送番組の終了時刻に達した時点から所定時間だけ、電源遮断の予告メッセージをオンスクリーン表示し、視聴続行の意思確認を行うようにしても良い。
【００４１】
この場合、最終放送番組の終了時刻が現在時刻に一致したことが検出されると、図３に示したメッセージ文に代えて、「視聴中のチャンネルの番組プログラムは全て終了しました。このまま操作がなければ、自動的に電源をオフにします。」のような予告メッセージをオンスクリーン表示し、所定時間内に視聴者からの指示入力操作がなければ、主電源を遮断するようにすればよい。
【００４２】
また、本発明は、テレビ放送受信手段を内蔵したテレビジョン受像機に限らず、テレビジョン映像を受信・表示可能なパーソナルコンピュータや携帯通信端末などにも適用することが可能である。
【図面の簡単な説明】
【００４３】
【図１】本発明の一実施形態における要部概略構成を示す機能ブロック図である。
【図２】本発明の一実施形態における自動電源オフ制御動作を示すフローチャートである。
【図３】本発明の一実施形態における自動電源オフ前の報知表示画面例を示す説明図である。
【符号の説明】
【００４４】
１  チューナ
２  復調部
３  パケット分離部
４  映像復号部
５  音声復号部
６  ＥＰＧ処理部
７  ＯＳＤ処理部
８  制御ＣＰＵ
９  合成部
１０  表示装置
１１  システム電源制御部
【図１】
2006262216.tif 000003
【図２】
2006262216.tif 000004
【図３】
2006262216.tif 000005